(57)【要約】【課題】簡素な構造のコネクタ組立体を提供する。【解決手段】プラグコンタクト１０は、プラグハウジング１１に固定されるプラグ固定部３１と、プラグ固定部３１から、プラグコネクタ４をレセプタクルコネクタ７に嵌合する嵌合方向に延びる延長部３３と、バネ部３４と、延長部３３とバネ部３４を連結する連結部３５と、を有する。バネ部３４は、嵌合方向と反対の抜去方向に連結部３５から延びている。バネ部３４は、連結部３５から離れる方向に向かって順に、嵌合方向と直交するコネクタ幅方向でレセプタクルコンタクト１５に向かって突出する接触部３７と、押圧部３８と、を有する。接触部３７がレセプタクルコンタクト１５に対向した状態で押圧部３８を変位させると、接触部３７がレセプタクルコンタクト１５に接触する。【選択図】図１３
2020107440.tif 000002
【特許請求の範囲】
【請求項１】
第１のコンタクトと、前記第１のコンタクトを保持する第１のハウジングと、を含む第１のコネクタと、
第２のコンタクトと、前記第２のコンタクトを保持する第２のハウジングと、を含む第２のコネクタと、
を備え、
前記第１のコネクタが前記第２のコネクタに嵌合されるコネクタ組立体であって、
前記第１のコンタクトは、
前記第１のハウジングに固定される固定部と、
前記固定部から、前記第１のコネクタを前記第２のコネクタに嵌合する嵌合方向に延びる延長部と、
バネ部と、
前記延長部と前記バネ部を連結する連結部と、
を有し、
前記バネ部は、前記嵌合方向と反対の抜去方向に前記連結部から延びており、
前記バネ部は、前記連結部から離れる方向に向かって順に、
前記嵌合方向と直交する直交方向で前記第２のコンタクトに向かって突出する接触部と、
押圧部と、
を有し、
前記接触部が前記第２のコンタクトと対向した状態で前記押圧部を変位させると、前記接触部が前記第２のコンタクトに接触する、
コネクタ組立体。
【請求項２】
請求項１に記載のコネクタ組立体であって、
前記第１のハウジングは、前記延長部を収容することで前記延長部の前記直交方向における変形を規制する変形規制溝を有する、
コネクタ組立体。
【請求項３】
請求項２に記載のコネクタ組立体であって、
少なくとも前記延長部の前記嵌合方向における先端部分が前記変形規制溝に収容されている、
コネクタ組立体。
【請求項４】
請求項１から請求項３までの何れか１項に記載のコネクタ組立体であって、
前記第２のコンタクトは、
前記接触部が接触可能な第１の側板と、
前記第１の側板に対して前記直交方向で対向する第２の側板と、
前記第１の側板と前記第２の側板を連結する連結板と、
を有するＵ字断面を有しており、
前記第２の側板には、前記第１の側板に向かって膨らみ出る膨出部が形成されており、
前記第１のコンタクトの前記バネ部は、前記連結部と前記接触部の間に位置する先端部を更に有し、
前記第１のコンタクトの前記バネ部を前記第１の側板と前記第２の側板の間に挿入した状態で前記押圧部を変位させると、前記接触部が前記第１の側板に接触すると共に、前記バネ部の前記先端部が前記膨出部に接触する、
コネクタ組立体。
【請求項５】
請求項４に記載のコネクタ組立体であって、
前記膨出部の内面は、前記第１の側板の内面に対して平行となる平面である、
コネクタ組立体。
【請求項６】
請求項１から請求項５までの何れか１項に記載のコネクタ組立体であって、
前記接触部は前記バネ部を曲げることにより形成されており、
前記接触部は前記第２のコンタクトに対して線接触するように構成されている、
コネクタ組立体。
【発明の詳細な説明】
【技術分野】
【０００１】
本発明は、コネクタ組立体に関する。
【背景技術】
【０００２】
特許文献１は、本願の図１６に示すように、コネクタ１００と相手コネクタ１０１から成るＺＩＦコネクタ１０２を開示している。コネクタ１００は、図示しないインシュレータに保持されるコンタクト１０３を有する。相手コネクタ１０１は、図示しないインシュレータに保持される相手コンタクト１０４を有する。
【０００３】
コンタクト１０３は、インシュレータに保持される保持部１０５と、保持部１０５から一側方向に延びている接続部１０６と、保持部１０５から一側方向とは反対方向の他側に延びている端子部１０７と、接続部１０６の一側方向の先端部分に連結部１０８を介して接続されているバネ部１０９と、を有している。
【０００４】
接続部１０６とバネ部１０９とは、互いに平行となるように連結部１０８によって連結されている。コンタクト１０３は、更に、連結部１０８よりも上方に位置するバネ部１０９の上端部分には、相手コンタクト１０４と接触する接触部１１０が形成されている。バネ部１０９の下端部分には押圧部１１１が形成されている。
【０００５】
一方、相手コンタクト１０４は、コンタクト１０３の接触部１１０に向けて開口するスリット１１２が形成されている。
【０００６】
この構成で、接触部１１０をスリット１１２に挿入し、押圧部１１１をコンタクト１０３の板厚方向に押すと、接触部１１０が傾いてスリット１１２の内面に接触されるようになっている。
【先行技術文献】
【特許文献】
【０００７】
【特許文献１】特開平６−３３３６４７号公報
【発明の概要】
【発明が解決しようとする課題】
【０００８】
しかしながら、上記特許文献１の構成では、接触部１１０をスリット１１２に十分に挿入しなければならず、構造上複雑であった。
【０００９】
本開示の目的は、簡素な構造のコネクタ組立体を提供することにある。
【課題を解決するための手段】
【００１０】
本開示の一実施形態によれば、第１のコンタクトと、前記第１のコンタクトを保持する第１のハウジングと、を含む第１のコネクタと、第２のコンタクトと、前記第２のコンタクトを保持する第２のハウジングと、を含む第２のコネクタと、を備え、前記第１のコネクタが前記第２のコネクタに嵌合されるコネクタ組立体であって、前記第１のコンタクトは、前記第１のハウジングに固定される固定部と、前記固定部から、前記第１のコネクタを前記第２のコネクタに嵌合する嵌合方向に延びる延長部と、バネ部と、前記延長部と前記バネ部を連結する連結部と、を有し、前記バネ部は、前記嵌合方向と反対の抜去方向に前記連結部から延びており、前記バネ部は、前記連結部から離れる方向に向かって順に、前記嵌合方向と直交する直交方向で前記第２のコンタクトに向かって突出する接触部と、押圧部と、を有し、前記接触部が前記第２のコンタクトと対向した状態で前記押圧部を変位させると、前記接触部が前記第２のコンタクトに接触する、コネクタ組立体が提供される。
好ましくは、前記第１のハウジングは、前記延長部を収容することで前記延長部の前記直交方向における変形を規制する変形規制溝を有する。
好ましくは、少なくとも前記延長部の前記嵌合方向における先端部分が前記変形規制溝に収容されている。
好ましくは、前記第２のコンタクトは、前記接触部が接触可能な第１の側板と、前記第１の側板に対して前記直交方向で対向する第２の側板と、前記第１の側板と前記第２の側板を連結する連結板と、を有するＵ字断面を有しており、前記第２の側板には、前記第１の側板に向かって膨らみ出る膨出部が形成されており、前記第１のコンタクトの前記バネ部は、前記連結部と前記接触部の間に位置する先端部を更に有し、前記第１のコンタクトの前記バネ部を前記第１の側板と前記第２の側板の間に挿入した状態で前記押圧部を変位させると、前記接触部が前記第１の側板に接触すると共に、前記バネ部の前記先端部が前記膨出部に接触する。
好ましくは、前記膨出部の内面は、前記第１の側板の内面に対して平行となる平面である。
好ましくは、前記接触部は前記バネ部を曲げることにより形成されており、前記接触部は前記第２のコンタクトに対して線接触するように構成されている。
【発明の効果】
【００１１】
本開示によれば、簡素な構造のコネクタ組立体が提供される。
【図面の簡単な説明】
【００１２】
【図１】多芯コネクタの斜視図である。
【図２】コネクタ組立体の嵌合前の状態を示す斜視図である。
【図３】コネクタ組立体の嵌合前の状態を示す別の角度から見た斜視図である。
【図４】プラグコンタクトをレセプタクルコンタクトに挿入した状態を示す斜視図である。
【図５】図４のＡ部拡大図である。
【図６】レセプタクルコンタクトの斜視図である。
【図７】レセプタクルコンタクトの要部斜視図である。
【図８】レセプタクルコンタクトの別の角度から見た要部斜視図である。
【図９】プラグコンタクトの斜視図である。
【図１０】プラグコンタクトの要部斜視図である。
【図１１】プラグコンタクトの別の角度から見た要部斜視図である。
【図１２】プラグコンタクトがプラグハウジングに取り付けられた状態を示す斜視図である。
【図１３】プラグコンタクトとレセプタクルコンタクトの接触動作を示す平面図である。
【図１４】プラグコンタクトの傾斜変形を規制することについての技術的な意義を説明するための図である。
【図１５】プラグコンタクトの要部平面図である。
【図１６】特許文献１の図１を簡略化した図である。
【発明を実施するための形態】
【００１３】
以下、図１から図１５を参照して、本開示の実施形態を説明する。図１は、多芯コネクタ１の斜視図である。図１に示す多芯コネクタ１は、接点数が５００であるＺＩＦ（Zero Insertion Force）形式のコネクタであって、頻繁に脱着される環境下で使用されることを想定したものである。
【００１４】
ただし、多芯コネクタ１の接点数は５００に限定されず、例えば５００未満であってもよいし、５００よりも多くてもよい。また、多芯コネクタ１の使用環境は上記の環境に限定されず、例えば、滅多に脱着されない環境下で使用されるものであってもよい。また、多芯コネクタ１は、ＺＩＦ形式のコネクタでなくてもよい。
【００１５】
多芯コネクタ１は、プラグコネクタアッセンブリ２と、レセプタクルコネクタアッセンブリ３と、を備えている。
【００１６】
プラグコネクタアッセンブリ２は、複数のプラグコネクタ４（第１のコネクタ）と、複数のプラグコネクタ４を保持するプラグコネクタ収容ハウジング５と、ロッド６と、により構成されている。
【００１７】
レセプタクルコネクタアッセンブリ３は、複数のレセプタクルコネクタ７（図２及び図３を併せて参照）と、複数のレセプタクルコネクタ７（第２のコネクタ）を保持するレセプタクルコネクタ収容ハウジング８と、により構成されている。
【００１８】
図２及び図３に示すように、プラグコネクタアッセンブリ２の各プラグコネクタ４と、レセプタクルコネクタアッセンブリ３の各レセプタクルコネクタ７は、一対一で対応している。そして、１つのプラグコネクタ４と、対応する１つのレセプタクルコネクタ７と、によりコネクタ組立体９が構成されている。
【００１９】
本実施形態において、各コネクタ組立体９の接点数は５０であって、ＺＩＦ形式となっている。そして、図１で示唆するように、多芯コネクタ１は、１０個のコネクタ組立体９を備えることで、前述した接点数を実現している。
【００２０】
多芯コネクタ１が備える複数のコネクタ組立体９は、互いに実質的に同一の形状である。従って、以下、代表して１つのコネクタ組立体９について説明し、他のコネクタ組立体９についての説明は省略する。
【００２１】
（プラグコネクタ４）
図２及び図３に示すように、プラグコネクタ４は、複数のプラグコンタクト１０（第１のコンタクト）と、複数のプラグコンタクト１０を保持する絶縁性のプラグハウジング１１（第２のハウジング）と、スライダ１２と、基板１３と、ＦＦＣコネクタ１４と、を備えている。
【００２２】
図２に示すように、複数のプラグコンタクト１０は、その上側の半数が所定のピッチで並べて配置されて上方に露出しており、残りの下側の半数が所定のピッチで並べて配置されて下方に露出している。
【００２３】
ここで、「コネクタ幅方向」「挿抜方向」「コネクタ高さ方向」を定義する。図２及び図３に示すように、コネクタ幅方向（第１の方向）は、複数のプラグコンタクト１０が所定のピッチで並べられる方向である。挿抜方向（第２の方向）は、プラグコネクタ４をレセプタクルコネクタ７に挿抜する方向である。挿抜方向は、嵌合方向と抜去方向を含む。嵌合方向は、プラグコネクタ４をレセプタクルコネクタ７に嵌合する方向である。詳しくは、嵌合方向は、プラグコネクタ４をレセプタクルコネクタ７に嵌合するためにプラグコネクタ４をレセプタクルコネクタ７に向かって移動させる方向である。抜去方向は、嵌合方向と反対の方向である。コネクタ高さ方向（第３の方向）は、コネクタ幅方向及び挿抜方向に対して直交する方向である。コネクタ高さ方向は、上方と下方を含む。上方及び下方は、単に説明の便宜上用いる用語に過ぎず、コネクタ組立体９の使用時における実際の姿勢によって解釈されるものではない。
【００２４】
スライダ１２は、プラグハウジング１１に対してコネクタ幅方向でスライド可能にプラグハウジング１１に取り付けられている。このスライダ１２は、図１に示すロッド６と図示しないカム機構を介して連動するように構成されている。即ち、ロッド６を回転させると、スライダ１２がプラグハウジング１１に対して相対的にコネクタ幅方向でスライドするようになっている。
【００２５】
基板１３は、プラグハウジング１１に取り付けられている。複数のプラグコンタクト１０は、基板１３に形成された図示しない電極パッドに押し付けられて接触している。複数のプラグコンタクト１０は、基板１３に形成された図示しない電極パッドにはんだ付けされていてもよい。ＦＦＣコネクタ１４は基板１３に搭載されている。そして、ＦＦＣ（ＦＰＣであってもよい）をＦＦＣコネクタ１４に嵌合することにより、ＦＦＣが有する複数の導体が複数のプラグコンタクト１０と一対一で導通するように構成されている。
【００２６】
（レセプタクルコネクタ７）
引き続き図２及び図３を参照すると、レセプタクルコネクタ７は、複数のレセプタクルコンタクト１５（第２のコンタクト）と、複数のレセプタクルコンタクト１５を保持する絶縁性のレセプタクルハウジング１６（第２のハウジング）と、を備えている。
【００２７】
図３に示すように、レセプタクルハウジング１６は、プラグコネクタ４のプラグハウジング１１が挿入される開口１７を有している。そして、複数のレセプタクルコンタクト１５は、その上側の半数がコネクタ幅方向において所定のピッチで配置されて開口１７内において露出しており、残りの下側の半数がコネクタ幅方向において所定のピッチで配置されて開口１７内において露出している。
【００２８】
以下、プラグコンタクト１０及びレセプタクルコンタクト１５について詳細に説明する。
【００２９】
ただし、以下の説明において、図２に示すように、複数のプラグコンタクト１０は実質的に同一の形状であり、上側に配置されるプラグコンタクト１０と下側に配置されるプラグコンタクト１０は、プラグハウジング１１に保持されたときの姿勢が上下逆であるに過ぎない。従って、代表として、図２において下側に配置されるプラグコンタクト１０であって最も紙面手前側に配置されるプラグコンタクト１０のみを説明し、その他のプラグコンタクト１０については説明を省略する。図２においては、説明の対象となるプラグコンタクト１０の符号に下線を付した。
【００３０】
同様に、図２に示すように、複数のレセプタクルコンタクト１５は実質的に同一の形状であり、上側に配置されるレセプタクルコンタクト１５と下側に配置されるレセプタクルコンタクト１５は、レセプタクルハウジング１６に保持されたときの姿勢が上下逆であるに過ぎない。従って、代表として、上述したように説明の対象となるプラグコンタクト１０に対応するレセプタクルコンタクト１５のみを説明し、その他のレセプタクルコンタクト１５については説明を省略する。図２においては、説明の対象となるレセプタクルコンタクト１５の符号に下線を付した。
【００３１】
図４及び図５には、プラグコンタクト１０をレセプタクルコンタクト１５に挿入した状態であって、プラグコンタクト１０とレセプタクルコンタクト１５が接触する前の状態を示している。プラグコンタクト１０及びレセプタクルコンタクト１５は、何れも、銅又は銅合金である金属板をプレス加工したものを金又は金合金でメッキすることにより形成されている。
【００３２】
（レセプタクルコンタクト１５）
まず、レセプタクルコンタクト１５を説明する。図６には、レセプタクルコンタクト１５の全体斜視図を示している。図６に示すように、レセプタクルコンタクト１５は、挿抜方向に延びており、嵌合方向に沿って順に、レセプタクル接触部２０、レセプタクル固定部２１、レセプタクル端子部２２を有している。
【００３３】
レセプタクル端子部２２は、レセプタクルハウジング１６から露出して図示しない配線が例えば平形接続端子を介して接続される部分である（図３を併せて参照）。
【００３４】
レセプタクル固定部２１は、レセプタクルハウジング１６のキャビティに圧入されることによりレセプタクルハウジング１６に固定される部分である。
【００３５】
レセプタクル接触部２０は、プラグコンタクト１０と接触する部分である。
【００３６】
図７には、レセプタクル接触部２０の要部斜視図を示している。図８には、レセプタクル接触部２０の別の角度から見た要部斜視図を示している。図７及び図８に示すように、レセプタクル接触部２０は、挿抜方向に延びており、上方に開口するＵ字断面を有している。具体的には、レセプタクル接触部２０は、接触側板２３（第１の側板）と、変形規制側板２４（第２の側板）と、連結底板２５（連結板）と、により構成されている。接触側板２３と変形規制側板２４は、何れも板厚方向がコネクタ幅方向に一致しており、コネクタ幅方向において互いに対向している。連結底板２５は、接触側板２３の下端と変形規制側板２４の下端を連結している。
【００３７】
接触側板２３は、変形規制側板２４を向き、プラグコンタクト１０と接触可能な接触面２３Ａと、抜去方向における先端２３Ｂを有する。
【００３８】
変形規制側板２４は、挿抜方向に延びるスリット２４Ａと、抜去方向における先端２４Ｂと、を有する。
【００３９】
図７に示すように、レセプタクル固定部２１と先端２３Ｂとの間の距離は、レセプタクル固定部２１と先端２４Ｂとの間の距離よりも長い。しかしながら、これらの距離は等しい距離としてもよいし、後者を前者よりも長いものとしてもよい。
【００４０】
変形規制側板２４の長手方向の中途には、膨出部２６が形成されている。膨出部２６は、変形規制側板２４のうちスリット２４Ａよりも上方の部分に形成されている。膨出部２６は、変形規制側板２４のうちスリット２４Ａよりも上方の部分を接触側板２３に向かって凸となるように変形させることで形成されている。即ち、膨出部２６は、接触側板２３に向かって膨らみ出るように形成されている。膨出部２６は、変形規制側板２４の一部をプレス加工により変形させることで形成してもよいし、変形規制側板２４を部分的に肉厚にすることで形成してもよい。図８に示すように、膨出部２６は、嵌合方向に沿って順に、湾曲部２６Ａと、平板部２６Ｂと、湾曲部２６Ｃと、を有する。湾曲部２６Ａ及び湾曲部２６Ｃは、接触側板２３に向かって凸となるように湾曲している。平板部２６Ｂは、接触側板２３に対して平行である。即ち、平板部２６Ｂの板厚方向は、接触側板２３の板厚方向に等しい。平板部２６Ｂは、接触側板２３を向く内面であって、接触側板２３の接触面２３Ａに対して平行な平面となる変形規制面２７を有している。なお、変形規制面２７は平面に代えて曲面としてもよい。
【００４１】
（プラグコンタクト１０）
次いで、プラグコンタクト１０を説明する。図９は、プラグコンタクト１０の全体斜視図である。図１０は、プラグコンタクト１０の要部斜視図である。図１１は、プラグコンタクト１０の別の角度から見た要部斜視図である。図１２は、プラグハウジング１１に保持された状態のプラグコンタクト１０を示す斜視図である。
【００４２】
図９に示すように、プラグコンタクト１０は、挿抜方向に延びており、嵌合方向に沿って順に、プラグ端子部３０、プラグ固定部３１、プラグ本体部３２を有している。
【００４３】
図３に示すように、プラグ端子部３０は、プラグハウジング１１から露出して、基板１３に形成されている図示しない電極パッドに押し付けられて接触する部分である。
【００４４】
図９に戻り、プラグ固定部３１は、プラグハウジング１１のキャビティに圧入されることによりプラグハウジング１１に固定される部分である。
【００４５】
プラグ本体部３２は、レセプタクルコンタクト１５と接触する部分である。
【００４６】
図１０に示すように、プラグ本体部３２は、延長部３３と、バネ部３４と、連結部３５と、を有している。
【００４７】
延長部３３は、プラグ固定部３１から嵌合方向に延びる部分である。延長部３３の板厚方向はコネクタ幅方向に等しい。延長部３３は、嵌合方向における先端部３３Ａを有する。
【００４８】
バネ部３４は、挿抜方向に延びる部分である。バネ部３４は部分的に板厚方向で曲げられているものの、バネ部３４の板厚方向は概ねコネクタ幅方向に等しい。
【００４９】
連結部３５は、延長部３３とバネ部３４を連結する部分である。
【００５０】
延長部３３とバネ部３４は、コネクタ高さ方向において隣り合っている。延長部３３とバネ部３４は、コネクタ高さ方向において互いに離れて配置されている。延長部３３とバネ部３４の間には、隙間がある。従って、バネ部３４がバネ部３４の板厚方向に変形するに際し、バネ部３４が延長部３３と物理的に干渉することはない。延長部３３とバネ部３４は、コネクタ高さ方向において部分的に互いに対向している。バネ部３４は、延長部３３の下方に位置している。
【００５１】
バネ部３４は、連結部３５から抜去方向に片持梁状に延びている。バネ部３４は、連結部３５から離れる方向に向かって順に、先端部３６、接触部３７、押圧部３８を有する。
【００５２】
先端部３６は、連結部３５と接触部３７の間の部分である。先端部３６は、板厚方向がコネクタ幅方向に等しい平板状に形成されている。
【００５３】
接触部３７は、先端部３６と押圧部３８の間の部分である。図５に示すように、プラグコンタクト１０がレセプタクルコンタクト１５に挿入された状態で、接触部３７は、コネクタ幅方向で接触側板２３に向かって突出するように形成されている。接触部３７は、平面視でＶ字となるようにバネ部３４を曲げることにより形成されている。図１０に戻り、接触部３７は、先端部３６との境界となる第１曲げ部３７Ａと、押圧部３８との境界となる第２曲げ部３７Ｂと、第１曲げ部３７Ａと第２曲げ部３７Ｂの間に形成される第３曲げ部３７Ｃと、を有する。図１０及び図１１に示すように、第３曲げ部３７Ｃの曲げ方向は、第１曲げ部３７Ａ及び第２曲げ部３７Ｂの曲げ方向と反対の方向となっている。
【００５４】
図１０に戻り、押圧部３８は、バネ部３４の自由端部に相当する部分である。押圧部３８の板厚方向は、バネ部３４の無負荷状態においてコネクタ幅方向に概ね一致している。
【００５５】
そして、前述の連結部３５は、延長部３３の先端部３３Ａと、バネ部３４の先端部３６と、を連結している。従って、プラグ本体部３２は、コネクタ幅方向で見ると、嵌合方向に凸となるＵ字状となっている。
【００５６】
図１２には、プラグハウジング１１に２つのプラグコンタクト１０が取り付けられた状態を示している。図１２に示すように、プラグハウジング１１には、複数の変形規制溝４０が形成されている。複数の変形規制溝４０は、複数のプラグコンタクト１０に対応するように形成されている。そして、各プラグコンタクト１０の前述した延長部３３は、長手方向の全域にわたって、対応する変形規制溝４０に収容されている。各変形規制溝４０の溝幅は、対応するプラグコンタクト１０の延長部３３の板厚よりも僅かに大きい。一方で、各プラグコンタクト１０のバネ部３４は変形規制溝４０に収容されておらず全体に亘って外部に露出している。従って、各プラグコンタクト１０の延長部３３はコネクタ幅方向の変形が実質的に規制されており、各プラグコンタクト１０のバネ部３４はコネクタ幅方向の変形が許容されている。
【００５７】
なお、各プラグコンタクト１０の連結部３５は、コネクタ高さ方向における概ね半分が変形規制溝４０に収容されている。しかしながら、各プラグコンタクト１０の連結部３５は、各変形規制溝４０に全く収容されず、コネクタ高さ方向における全域に亘って各変形規制溝４０から露出していてもよい。
【００５８】
（作動）
次に、図１に示すプラグコネクタアッセンブリ２をレセプタクルコネクタアッセンブリ３に嵌合させる嵌合動作と、図２に示すプラグコネクタ４をレセプタクルコネクタ７に嵌合させる嵌合動作と、を同時に説明する。
【００５９】
プラグコネクタ４をレセプタクルコネクタ７に嵌合させるには、まず、図２及び図３に示すように、プラグコネクタ４とレセプタクルコネクタ７を挿抜方向で対向させ、プラグコネクタ４をレセプタクルコネクタ７に向かって相対的に移動させることにより、プラグコネクタ４のプラグハウジング１１をレセプタクルコネクタ７のレセプタクルハウジング１６の開口１７に挿入する。
【００６０】
すると、図４に示すように、Ｕ字断面を有するレセプタクルコンタクト１５へプラグコンタクト１０がＺＩＦで挿入される。具体的には、図５に示すように、レセプタクルコンタクト１５の接触側板２３及び変形規制側板２４の間にプラグコンタクト１０のバネ部３４がＺＩＦで挿入される。この結果、プラグコンタクト１０の先端部３６がレセプタクルコンタクト１５の膨出部２６の平板部２６Ｂとコネクタ幅方向において対向する。また、プラグコンタクト１０のバネ部３４の接触部３７がレセプタクルコンタクト１５の接触側板２３とコネクタ幅方向で対向する。一方、プラグコンタクト１０のバネ部３４の押圧部３８は、レセプタクルコンタクト１５に挿入されておらず、即ち、コネクタ幅方向においてレセプタクルコンタクト１５と対向しない。
【００６１】
この状態で、図１に示すロッド６を所定の方向に例えば９０度回転させる。すると、図示しないカム機構を介して図２に示すプラグコネクタ４のスライダ１２がコネクタ幅方向においてスライド移動し、図５に示すプラグコンタクト１０のバネ部３４の押圧部３８がスライダ１２によってコネクタ幅方向であって矢印で示す方向に所定量変位する。ここで、押圧部３８が変位する方向は、接触部３７の突出方向と同じ方向である。
【００６２】
図１３には、押圧部３８がコネクタ幅方向において所定量変位した状態を示している。なお、説明の便宜上、図１３には、プラグコンタクト１０を構成する構成要素のうちバネ部３４以外の図示を省略している。図１３に示すように、押圧部３８がコネクタ幅方向において変位すると、バネ部３４は連結部３５を中心として平面視で反時計まわりに回転し、接触部３７が接触側板２３へ向かって変位して接触側板２３に接触する。このとき、接触部３７の第３曲げ部３７Ｃが接触側板２３に対して線接触する。これにより、プラグコンタクト１０とレセプタクルコンタクト１５との導通が達成される。
【００６３】
上記のように接触部３７が接触側板２３に接触した後も、押圧部３８はコネクタ幅方向において所定量変位するまで変位し続ける。すると、接触部３７と接触側板２３との接触圧が増大すると共に、バネ部３４は今度は接触部３７を中心として平面視で反時計まわりに回転し、先端部３６が膨出部２６へ向かって変位して膨出部２６に接触する。このとき、先端部３６が膨出部２６の変形規制面２７に対して面接触する。これにより、先端部３６が変形規制側板２４へ向かってそれ以上変位することが規制される。
【００６４】
ここで、図１４を参照して、先端部３６が変形規制側板２４へ向かって変位することを規制する技術的な意義について説明する。図１４には、プラグコンタクト１０の斜視図を示している。図１４に示すように、先端部３６がコネクタ幅方向に変位しようとすると、図中矢印で示すように、先端部３６は連結部３５を回転中心として傾斜するように変形することになる。そして、先端部３６が傾斜すると、接触部３７も同様に傾斜することになる。この結果、図１３で示した接触部３７と接触側板２３との線接触が点接触へと切り替わることになる。点接触自体は短期間では接触安定性を向上するような働きをするものの、長期的にはレセプタクルコンタクト１５の接触側板２３の局所的な摩耗及び摩耗に起因する金属粉の発生を招き、接触安定性を損なう虞がある。これに対し、本実施形態では、先端部３６の傾斜が膨出部２６によって規制されているので、接触部３７の傾斜が規制され、もって、接触部３７と接触側板２３との線接触が安定的に達成されるようになっている。端的に言えば、先端部３６の変位を規制することにより、多芯コネクタ１の長期的な接続安定性が向上されていると言及することができる。
【００６５】
ところで、図１５には、レセプタクルコンタクト１５にプラグコンタクト１０を挿入した後であって、押圧部３８を変位させる前の、即ち、プラグコンタクト１０の無負荷状態における平面図を示している。図１５に示すように、プラグコンタクト１０の平面視において、無負荷状態であるバネ部３４の押圧部３８は、延長部３３に対して、コネクタ幅方向における接触部３７の第３曲げ部３７Ｃの突出方向と反対の方向にズレている。以上の構成によれば、バネ部３４の押圧部３８が延長部３３とコネクタ高さ方向において重複するように配置される場合と比較して、接触部３７のＶ字形状が鋭利となるので、押圧部３８をコネクタ幅方向に変位させた際に、接触部３７の第３曲げ部３７Ｃ以外の部分が接触側板２３に誤って接触してしまうことを効果的に防止できる。
【００６６】
以上に、本開示の実施形態を説明したが、上記実施形態は以下の特長を有している。
【００６７】
即ち、図２及び図３に示すように、コネクタ組立体９は、プラグコンタクト１０（第１のコンタクト）と、プラグコンタクト１０を保持するプラグハウジング１１（第１のハウジング）と、を含むプラグコネクタ４（第１のコネクタ）と、レセプタクルコンタクト１５（第２のコンタクト）と、レセプタクルコンタクト１５を保持するレセプタクルハウジング１６（第２のハウジング）と、を含むレセプタクルコネクタ７（第２のコネクタ）と、を備える。プラグコネクタ４はレセプタクルコネクタ７に嵌合される。プラグコンタクト１０は、プラグハウジング１１に固定されるプラグ固定部３１（固定部）と、プラグ固定部３１から、プラグコネクタ４をレセプタクルコネクタ７に嵌合する嵌合方向に延びる延長部３３と、バネ部３４と、延長部３３とバネ部３４を連結する連結部３５と、を有する。バネ部３４は、嵌合方向と反対の抜去方向に連結部３５から延びている。バネ部３４は、連結部３５から離れる方向に向かって順に、嵌合方向と直交するコネクタ幅方向（直交方向）でレセプタクルコンタクト１５に向かって突出する接触部３７と、押圧部３８と、を有する。接触部３７がレセプタクルコンタクト１５と対向した状態で押圧部３８を変位させると、接触部３７がレセプタクルコンタクト１５に接触する。以上の構成によれば、簡素な構造のコネクタ組立体９が実現される。
【００６８】
例えば、図１２に示すように、プラグハウジング１１は、延長部３３を収容することで延長部３３のコネクタ幅方向における変形を規制する変形規制溝４０を有する。以上の構成によれば、延長部３３のコネクタ幅方向における変形が規制されるので、バネ部３４の安定した変形が実現される。
【００６９】
また、図１０及び図１２に示すように、延長部３３の嵌合方向における先端部３３Ａ（先端部分）が変形規制溝４０に収容されている。以上の構成によれば、バネ部３４の先端部３６の位置が安定するので、プラグコネクタ４をレセプタクルコネクタ７に嵌合する際のプラグコンタクト１０の座屈を効果的に防止できる。
【００７０】
また、例えば図７及び図８に示すように、レセプタクルコンタクト１５は、プラグコンタクト１０の接触部３７が接触可能な接触側板２３（第１の側板）と、接触側板２３に対してコネクタ幅方向で対向する変形規制側板２４（第２の側板）と、接触側板２３と変形規制側板２４を連結する連結底板２５（連結板）と、を有するＵ字断面を有している。変形規制側板２４には、接触側板２３に向かって膨らみ出る膨出部２６が形成されている。図１０に示すように、プラグコンタクト１０のバネ部３４は、連結部３５と接触部３７の間に位置する先端部３６を更に有する。図１３に示すように、プラグコンタクト１０のバネ部３４を接触側板２３と変形規制側板２４の間に挿入した状態で押圧部３８を変位させると、接触部３７が接触側板２３に接触すると共に、バネ部３４の先端部３６が膨出部２６に接触する。即ち、押圧部３８を変位させて接触部３７を接触側板２３に押圧させると、接触部３７が支点となって先端部３６が変形規制側板２４に向かって変位しようとする。このとき、図１４に示すように、先端部３６は連結部３５を軸として回転するように変位しようとする。この結果、バネ部３４が捻れるように変形することになり、バネ部３４の安定した変形が阻害される。これに対し、上記の構成によれば、先端部３６が変形規制側板２４に向かって変位しようとしても、膨出部２６により先端部３６の変位が規制されるので、上記の捻じれ変形が抑制され、もって、バネ部３４の安定した変形が実現される。
【００７１】
また、例えば図７及び図１３に示すように、膨出部２６の内面である変形規制面２７は、接触側板２３の接触面２３Ａ（内面）に対して平行となる平面である。以上の構成によれば、膨出部２６の変形規制面２７が曲面である場合と比較して、上記の捻じれ変形をより効果的に抑制できる。
【００７２】
また、例えば図１０に示すように、接触部３７はバネ部３４を曲げることにより形成されている。接触部３７はレセプタクルコンタクト１５に対して線接触するように構成されている。以上の構成によれば、接触部３７がレセプタクルコンタクト１５に対して点接触する場合と比較して、レセプタクルコンタクト１５の局所的な摩耗や摩耗による金属粉の発生を抑制できるので、多芯コネクタ１の長期的な接続安定性の向上に寄与する。
【００７３】
以上に、本開示の好適な実施形態を説明したが、上記実施形態は例えば以下のように変更できる。
【００７４】
即ち、例えば図１３に示すように、接触部３７は接触側板２３に向かって凸となるように平面視でＶ字となるように形成されている。しかし、これに代えて、接触部３７は接触側板２３に向かって凸となるように湾曲するように形成してもよい。また、接触部３７はバネ部３４を曲げることで形成することに代えて、バネ部３４の肉厚を部分的に厚くすることにより形成してもよい。
【符号の説明】
【００７５】
１  多芯コネクタ
２  プラグコネクタアッセンブリ
３  レセプタクルコネクタアッセンブリ
４  プラグコネクタ（第１のコネクタ）
５  プラグコネクタ収容ハウジング
６  ロッド
７  レセプタクルコネクタ（第２のコネクタ）
８  レセプタクルコネクタ収容ハウジング
９  コネクタ組立体
１０  プラグコンタクト（第１のコンタクト）
１１  プラグハウジング（第１のハウジング）
１２  スライダ
１３  基板
１４  ＦＦＣコネクタ
１５  レセプタクルコンタクト（第２のコンタクト）
１６  レセプタクルハウジング（第２のハウジング）
１７  開口
２０  レセプタクル接触部
２１  レセプタクル固定部
２２  レセプタクル端子部
２３  接触側板（第１の側板）
２３Ａ  接触面（内面）
２３Ｂ  先端
２４  変形規制側板（第２の側板）
２４Ａ  スリット
２４Ｂ  先端
２５  連結底板（連結板）
２６  膨出部
２６Ａ  湾曲部
２６Ｂ  平板部
２６Ｃ  湾曲部
２７  変形規制面
３０  プラグ端子部
３１  プラグ固定部（固定部）
３２  プラグ本体部
３３  延長部
３３Ａ  先端部（先端部分）
３４  バネ部
３５  連結部
３６  先端部
３７  接触部
３７Ａ  第１曲げ部
３７Ｂ  第２曲げ部
３７Ｃ  第３曲げ部
３８  押圧部
４０  変形規制溝
【図１】
2020107440.tif 000003
【図２】
2020107440.tif 000004
【図３】
2020107440.tif 000005
【図４】
2020107440.tif 000006
【図５】
2020107440.tif 000007
【図６】
2020107440.tif 000008
【図７】
2020107440.tif 000009
【図８】
2020107440.tif 000010
【図９】
2020107440.tif 000011
【図１０】
2020107440.tif 000012
【図１１】
2020107440.tif 000013
【図１２】
2020107440.tif 000014
【図１３】
2020107440.tif 000015
【図１４】
2020107440.tif 000016
【図１５】
2020107440.tif 000017
【図１６】
2020107440.tif 000018